(57)【特許請求の範囲】
【請求項１】
建物に設備された昇降路のレールに沿って多階床間で乗りかごを昇降させる乗りかご用電動機と、前記乗りかご用電動機を制御する制御装置と、前記乗りかごに設置されて当該乗りかごのかご扉を開閉するかご扉用電動機と、前記乗りかごに設置されて前記制御装置と接続されると共に、前記かご扉用電動機を制御するかご制御装置と、を備えたエレベータ制御装置において、
前記乗りかご内に設置されて昇降運転時の音を収集するマイクロホンと、前記乗りかごに設置されて前記マイクロホンと接続されると共に、当該マイクロホンにより収集された前記音を分析して異常音発生の判定を含む分析結果を生成して保持する異常音分析装置と、を備え、
前記異常音分析装置は、前記分析結果として、前記かご扉用電動機により駆動されるかご扉開閉機構に備えられるプーリの半径と当該かご扉用電動機の回転速度との関係で得られる予め算出した当該プーリの一回転時間と、前記マイクロホンにより収集された前記音における異常音発生周期とを比較した結果に基づいて前記異常音発生の判定を行うことを特徴とするエレベータ制御装置。
【請求項２】
建物に設備された昇降路のレールに沿って多階床間で乗りかごを昇降させる乗りかご用電動機と、前記乗りかご用電動機を制御する制御装置と、前記乗りかごに設置されて当該乗りかごのかご扉を開閉するかご扉用電動機と、前記乗りかごに設置されて前記制御装置と接続されると共に、前記かご扉用電動機を制御するかご制御装置と、を備えたエレベータ制御装置において、
前記乗りかご内に設置されて昇降運転時の音を収集するマイクロホンと、前記乗りかごに設置されて前記マイクロホンと接続されると共に、当該マイクロホンにより収集された前記音を分析して異常音発生の判定を含む分析結果を生成して保持する異常音分析装置と、を備え、
前記異常音分析装置は、前記分析結果として、予め記憶した前記かご扉用電動機により駆動される前記かご扉が開き始めてから開き切るまでの時間、又は閉じ始めてから閉じ切るまでの時間と、前記マイクロホンにより収集された前記音における異常音発生周期とを比較した結果に基づいて前記異常音発生の判定を行うことを特徴とするエレベータ制御装置。
【請求項３】
請求項１又は２記載のエレベータ制御装置において、前記異常音分析装置は、前記分析結果として、前記異常音発生の判定に際して前記かご制御装置の制御指令を受けて前記かご扉用電動機により駆動される前記かご扉の開閉速度、又は前記制御装置の制御指令を受けて前記乗りかご用電動機により駆動される前記乗りかごの昇降の走行速度を変化させ、当該速度変化に合わせて可変する前記マイクロホンにより収集された前記音における前記異常音発生周期に基づいて当該異常音発生の判定を重畳して行うことを特徴とするエレベータ制御装置。
【請求項４】
請求項１〜３の何れか１項記載のエレベータ制御装置において、前記異常音分析装置は、前記分析結果として、前記乗りかごの昇降の走行運転停止時に得られた前記異常音発生の判定については前記かご扉での異常とみなし、当該乗りかごの昇降の走行運転時に得られた当該異常音発生の判定については前記レールを含む前記昇降路での異常とみなすことを特徴とするエレベータ制御装置。
【発明の詳細な説明】
【技術分野】
【０００１】
本発明は、建物に設備された昇降路の多階床間で乗りかごを昇降運転させるエレベータ設備に異常音検出機能を持たせ、保守点検時に故障要因の発見を容易にして故障発生を未然に防止するために好適なエレベータ制御装置に関する。
【背景技術】
【０００２】
一般に、エレベータ設備は、構造上において複数の摺動部分を有しており、乗りかごの昇降時にかご扉、並びに乗場扉の開閉動作を繰り返し行っている。このため、こうした摺動部分に油切れや変形が生じたり、或いは異物が挟まる等のトラブルを起こすと、異常音を発生することがある。
【０００３】
通常エレベータ設備で異常音が発生すると、使用者や管理者から通報を受けた保守点検業者が現場に赴いて対処している。通報者である使用者や管理者は殆ど専門知識を持たないため、事前情報が適確に与えられる場合が乏しく、現地で保守点検作業を開始するまでに異常原因を推定し難い場合も少なくない。また、通報者から提供される情報が曖昧であったり、或いは保守点検業者が現場に赴いたときに通報者が不在であると、実際にエレベータ設備を稼動させて通報された内容の異常音の発生要因を最初から細かく点検して確認しなければならず、対処に手間が掛かるだけでなく、多大な時間や労力を要し、対応が遅れてしまう傾向にある。
【０００４】
そこで、エレベータ設備で異常音が発生したときに保守点検業者が点検し易くするための機能を持たせるような提案もなされている。例えば、ドア開閉音の異常を遠隔監視装置から確認できるようにしたエレベータ遠隔監視システム（特許文献１参照）、エレベータ走行運転中に発生する異常音を録音して異常音の発生原因及び発生場所を特定するのに役立つエレベータの運転時録音装置（特許文献２参照）が挙げられる。
【先行技術文献】
【特許文献】
【０００５】
【特許文献１】特開平１０−２０３７４５号公報
【特許文献２】特開平１１−４９４４４号公報
【発明の概要】
【発明が解決しようとする課題】
【０００６】
上述した特許文献１に係る技術は、乗りかご内に設置したマイクロホンによりドア（かご扉）の開閉音を収集し、電話回線に通じた遠隔監視装置により予め記憶させておいた基準音と比較して異常を検出するようにしたものであるが、特にインターホンに付設されるマイクロホンの場合には集音性能が低い上、周囲に雑音（ノイズ）が発生していると、検出すべき異常音とそれ以外の雑音との区別をし難く、ドア（かご扉）が正常であるにも拘わらず、異常音を発生していると誤検出してしまうのを回避できないという問題がある。
【０００７】
また、特許文献２に係る技術は、管制センタからの異常音確認運転指令に基づいて乗りかごを最上階と最下階との間で往復運転させ、中間階の乗場通過時に特定の発信音を発して録音し、異常場所（箇所）を特定するものであり、録音結果を再生しながら点検者が耳で発信音の回数を計数（カウント）して異常音の発生場所を特定する必要がある。このため、階床数が多い高層な建物に設備された場合には録音時間が長時間に及んでしまい、異常場所が乗りかごの走行に係るものか、ドア（かご扉）の開閉に係るものかといった特定に時間が掛かってしまう上、正確に特定するためには熟練を要するものであることにより、簡易にして適確に異常場所を特定し難いという不便さの問題がある。
【０００８】
本発明は、このような問題点を解決すべくなされたもので、その技術的課題の１つは、周囲に雑音があっても誤検出することなく乗りかごに設置されたマイクロホンで収集した異常音を適確に検出できる機能を持つエレベータ制御装置を提供することにある。
【０００９】
本発明の技術的課題のもう１つは、階床数が多い高層な建物に設備された場合にも乗りかごに設置されたマイクロホンで収集した異常音に基づいて迅速にして適確に異常場所を特定し得る機能を持つエレベータ制御装置を提供することにある。
【課題を解決するための手段】
【００１０】
上記技術的課題を達成するため、本発明の第１の手段は、建物に設備された昇降路のレールに沿って多階床間で乗りかごを昇降させる乗りかご用電動機と、乗りかご用電動機を制御する制御装置と、乗りかごに設置されて当該乗りかごのかご扉を開閉するかご扉用電動機と、乗りかごに設置されて制御装置と接続されると共に、かご扉用電動機を制御するかご制御装置と、を備えたエレベータ制御装置において、乗りかご内に設置されて昇降運転時の音を収集するマイクロホンと、乗りかごに設置されてマイクロホンと接続されると共に、当該マイクロホンにより収集された音を分析して異常音発生の判定を含む分析結果を生成して保持する異常音分析装置と、を備え、異常音分析装置は、分析結果として、かご扉用電動機により駆動されるかご扉開閉機構に備えられるプーリの半径と当該かご扉用電動機の回転速度との関係で得られる予め算出した当該プーリの一回転時間と、マイクロホンにより収集された音における異常音発生周期とを比較した結果に基づいて異常音発生の判定を行うことを特徴とする。
【００１１】
本発明の第２の手段は、建物に設備された昇降路のレールに沿って多階床間で乗りかごを昇降させる乗りかご用電動機と、乗りかご用電動機を制御する制御装置と、乗りかごに設置されて当該乗りかごのかご扉を開閉するかご扉用電動機と、乗りかごに設置されて制御装置と接続されると共に、かご扉用電動機を制御するかご制御装置と、を備えたエレベータ制御装置において、乗りかご内に設置されて昇降運転時の音を収集するマイクロホンと、乗りかごに設置されてマイクロホンと接続されると共に、当該マイクロホンにより収集された音を分析して異常音発生の判定を含む分析結果を生成して保持する異常音分析装置と、を備え、異常音分析装置は、分析結果として、予め記憶したかご扉用電動機により駆動されるかご扉が開き始めてから開き切るまでの時間、又は閉じ始めてから閉じ切るまでの時間と、マイクロホンにより収集された音における異常音発生周期とを比較した結果に基づいて異常音発生の判定を行うことを特徴とする。
【００１２】
本発明の第３の手段は、第１の手段又は第２の手段において、異常音分析装置は、分析結果として、異常音発生の判定に際してかご制御装置の制御指令を受けてかご扉用電動機により駆動されるかご扉の開閉速度、又は制御装置の制御指令を受けて乗りかご用電動機により駆動される乗りかごの昇降の走行速度を変化させ、当該速度変化に合わせて可変するマイクロホンにより収集された音における異常音発生周期に基づいて当該異常音発生の判定を重畳して行うことを特徴とする。
【００１３】
本発明の第４の手段は、第１の手段〜第３の手段の何れか１つの手段において、異常音分析装置は、分析結果として、乗りかごの昇降の走行運転停止時に得られた異常音発生の判定についてはかご扉での異常とみなし、当該乗りかごの昇降の走行運転時に得られた当該異常音発生の判定についてはレールを含む昇降路での異常とみなすことを特徴とする。
【発明の効果】
【００１６】
本発明のエレベータ制御装置によれば、乗りかごに設置した異常音分析装置が乗りかご内に設置されたマイクロホンにより収集された音を分析して精度良く異常音発生の判定を含む分析結果を生成して保持し、異常音発生の判定については、マイクロホンにより収集された音がエレベータ設備の可動部の動作に同期して発生しているか否かを比較照合して行っているため、周囲の雑音等と区別して確実に異常音発生を検出することができ、結果として、周囲に雑音があっても誤検出することがなく、しかも階床数が多い高層な建物に設備されたエレベータ設備であっても、迅速にして適確に摺動部分の異常場所を特定することが可能となり、保守点検業者が現場に赴いて対処する際の効率を向上させることができるため、エレベータ設備の保守点検業務上で有益となる。
【図面の簡単な説明】
【００１７】
【図１】本発明の実施例１に係るエレベータ制御装置の全体的構成を示した概略図である。
【発明を実施するための形態】
【００１８】
以下に、本発明のエレベータ制御装置について、図面を参照して詳細に説明する。
【００１９】
図１は、本発明の実施例１に係るエレベータ制御装置の全体的構成を示した概略図である。このエレベータ制御装置は、建物に設備された昇降路のレール１に沿って多階床間で乗りかご２を昇降させる乗りかご用電動機３と、乗りかご用電動機３を制御する制御装置４と、乗りかご２に設置されて乗りかご２のかご扉５を開閉するかご扉用電動機６と、乗りかご２に設置されて制御装置４と接続されると共に、かご扉用電動機６を制御するかご制御装置７と、乗りかご２内に設置されて昇降運転時の音を収集するマイクロホン８と、乗りかご２に設置されてマイクロホン８及びかご制御装置７と接続されると共に、マイクロホン８により収集された音を分析して異常音発生の判定を含む分析結果を生成して保持してかご制御装置７へ送出する異常音分析装置９と、を備えたエレベータ設備として構成されている。
【００２０】
このうち、乗りかご２については、乗りかご用電動機３のモータ軸に設けられたシーブ１０並びにそらせ車１５に巻き掛けられたロープ１６を介してカウンタウェイト１１と連結される。乗りかご２は、動作上において乗りかご用電動機３の駆動によるシーブ１０の回転に伴い、カウンタウェイト１１と共に互いに上下反対方向に昇降するシーソー方式が採用されている。このとき、乗りかご２の昇降走行運転に伴うかご位置情報は、乗りかご用電動機３のモータ軸に設けられたエンコーダ１２によって検出される。因みに、乗りかご２の駆動方式は、油圧方式等の他の方式を採用しても良い。
【００２１】
乗りかご２のかご扉５に対する開閉動作は、かご扉用電動機６に付設されると共に、それにより駆動されるかご扉開閉機構を成す構成部、即ち、かご扉用電動機６のモータ軸に設けられたプーリ１３に巻き掛けられたベルト１４を介して左右開閉動作が行われる。かご扉５の開閉動作は、左右開閉動作が基本であるが、上下開閉等のその他の方式を採用することも可能である。
【００２２】
実施例１に係るエレベータ制御装置では、乗りかご２の昇降走行やかご扉５の開閉に伴う摺動によって発生する音を乗りかご２内に設置されたマイクロホン８により収集し、乗りかご２に設置した異常音分析装置９が収集された音を分析して精度良く異常音発生の判定を含む分析結果を生成して保持するため、周囲に雑音（ノイズ）があっても誤検出することがなく、しかも階床数が多い高層な建物に設備されたエレベータ設備であっても、迅速にして適確に摺動部分の異常場所を特定することができる。この結果として、保守点検業者が現場に赴いて対処する際の効率を向上させることができる。
【００２３】
因みに、異常音分析装置９によって異常音発生の判定が行われた場合には、その旨を略図する監視装置により電話回線等を通じて遠隔地のセンタに発報したり、或いは無線通信により保守点検業者が携帯する携帯端末の表示部に表示させることも可能である。
【００２４】
ところで、異常音分析装置９による音の分析結果で得られる異常音発生の判定には、エレベータ設備の可動部の動作に同期して発生しているか否かを比較照合して行うための幾つかの手法が挙げられる。
【００２５】
第１の手法は、異常音分析装置９による分析結果として、かご扉用電動機６により駆動されるかご扉開閉機構に備えられるプーリ１３の半径ｒとかご扉用電動機６の回転速度ｖとの関係で得られる予め算出したプーリ１３の一回転時間Ｔと、マイクロホン８により収集された音の異常音発生周期とを比較した結果に基づいて異常音発生の判定を行うものである。尚、プーリ１３の一回転時間Ｔは、プーリ１３の半径ｒとかご扉用電動機６の回転速度ｖとの間において、Ｔ＝２π（|ｒ|／|ｖ|）なる関係が成立するものである。
【００２６】
ここで、例えばプーリ１３に油と埃とが混ざった異物が付着していた場合を想定すると、プーリ１３がベルト１４との接触面でプーリ１３の回転と同期した周期的な異常音（ゴトゴト音）が発生するため、異常音分析装置９では予め算出したプーリ１３の一回転時間Ｔとマイクロホン８からの音の異常音発生周期（ゴトゴト音発生周期）とを比較照合することにより、一回転時間Ｔ内で発生するゴトゴト音発生周期を検出した場合に異常音発生の判定を自動的に行うことができる。ここでの周期的に発生する異常音（ゴトゴト音）は雑音（ノイズ）となるその他の背景音源とは明確に区別され得るため、異常音発生を適確に検出することができる。
【００２７】
第２の手法は、異常音分析装置９による分析結果として、予め記憶したかご扉５が開き始めてから開き切るまでの時間、又は閉じ始めてから閉じ切るまでの時間（即ち、かご扉５の開閉時間）と、マイクロホン８により収集された音の異常音発生周期とを比較した結果に基づいて異常音発生の判定を行うものである。
【００２８】
ここで、例えばかご扉５のガイドレールに小石が挟まり、かご扉５の開閉動作時に引きずり音が発生する場合を想定すると、かご扉５の開閉動作時について、閉端から開端までの所要時間が２秒、開状態の所要時間が５秒、開端から閉端までの所要時間が３秒であれば、かご扉５の一往復の戸開方向では２秒以内、戸閉方向で３秒以内の決まったタイミングで異常音（引きずり音）が発生するため、異常音分析装置９では予め記憶したかご扉５の開閉時間（閉端から開端までの２秒、開端から閉端までの３秒）とマイクロホン８からの音の異常音発生周期（２秒以内、３秒以内に発生する引きずり音）とを比較照合することにより、かご扉５の開閉時間内で発生する引きずり音を検出した場合に異常音発生の判定を自動的に行うことができる。ここでの周期的に発生する異常音（引きずり音）は、雑音（ノイズ）となるその他の背景音源とは明確に区別され得るため、異常音発生を適確に検出することができる。
【００２９】
第３の手法は、異常音分析装置９による分析結果として、乗りかご用電動機３に備えられるエンコーダ１２から得られる乗りかご２のかご位置情報に基づいてマイクロホン８により収集された音の異常音発生位置が乗りかご２の昇降走行中に決まった位置（箇所、場所）で発生すると認識した場合に異常音発生の判定を行うものである。
【００３０】
ここで、例えば乗りかご２のレール１に沿った昇降走行運転時にレール１の油切れにより所定箇所で摩擦音が発生する場合を想定すると、異常音分析装置９ではエンコーダ１２からのパルス信号が乗りかご用電動機３と制御装置４及びかご制御装置７とを経由してかご位置情報として入力されているため、マイクロホン８により収集された音の異常音発生位置（摩擦音発生位置）に対してかご位置情報を対応させることにより、摩擦音が毎回発生するときのかご位置情報について、音の異常音発生位置（摩擦音発生位置）とみなして異常音発生の判定（異常音発生の位置の特定）を自動的に行うことができる。ここでの周期的に発生する異常音（摩擦音）は、雑音（ノイズ）となるその他の背景音源とは明確に区別され得るため、異常音発生を適確に検出することができる。
【００３１】
第４の手法は、上記第１の手法〜第３の手法において適用可能なもので、異常音分析装置９による分析結果として、上記異常音発生の判定に際してかご制御装置７の制御指令を受けてかご扉用電動機６により駆動されるかご扉５の開閉速度、又は制御装置４の制御指令を受けて乗りかご用電動機３により駆動される乗りかご２の昇降の走行速度を変化させ、速度変化に合わせて可変するマイクロホン８により収集された音における異常音発生周期に基づいて異常音発生の判定を重畳して行うものである。
【００３２】
ここで、例えば最初の異常音発生の判定をした異常音発生の検出時にかご制御装置７の制御指令によりかご扉用電動機６を駆動してかご扉５の開閉速度を遅くした場合を想定すると、マイクロホン８により収集された音における異常音発生周期が長くなる。このように異常音発生周期を変化させて異常音発生の判定を重畳して行うことによって、偶発的に生じ得る雑音（ノイズ）の異常音発生周期との重なりをずらして異常音を偶発的雑音（ノイズ）とは明確に区別させて異常音発生の誤検出を回避させることができるため、異常音発生を一層適確に検出することができる。
【００３３】
第５の手法は、上記第１の手法〜第４の手法において適用可能なもので、異常音分析装置９による分析結果として、乗りかご２の昇降の走行運転停止時に得られた異常音発生の判定についてはかご扉５での異常とみなし、乗りかご２の昇降の走行運転時に得られた異常音発生の判定についてはレール１を含む昇降路での異常とみなすものである。こうした異常音発生の判定時に具体的な摺動部の特定を行えば、保守点検業者が現場に赴いたときに点検箇所（場所、位置）の絞り込みを行うことができ、異常箇所（場所、位置）の発見を早期に行うことができるため、対処する際に有効となり、エレベータ設備の保守点検業務上で有益となる。
【００３４】
上述した実施例１に係るエレベータ制御装置の特徴的機能、即ち、異常音分析装置９に係る異常音発生の判定を含む異常音分析を行う機能は、図１に開示した乗りかご２の昇降路が単一系統のエレベータ設備構成の他、複数の昇降路が併設された号機系統別のエレベータ設備構成においても適用可能なものであり、こうした場合には乗りかご２の号機系統別に異常音分析装置９を配備した構成とすれば良く、単一系統の場合と同等な作用効果を奏する。
【符号の説明】
【００３５】
１  レール
２  乗りかご
３  乗りかご用電動機
４  制御装置
５  かご扉
６  かご扉用電動機
７  かご制御装置
８  マイクロホン
９  異常音判定装置
１０  シーブ
１１  カウンタウェイト
１２  エンコーダ
１３  プーリ
１４  ベルト
１５  そらせ車
１６  ロープ
【図１】
0005512588.tif 000002